(57)【要約】【課題】植生基材層（客土）の流出を防止でき、かつ水捌けに優れた、植物による緑化が図れる斜面を提供する。【解決手段】斜面の地山に柱状の樹脂繊条立体空隙構造体が配設され、この柱状の樹脂繊条立体空隙構造体が配設された斜面をラス金網で被い、その上に植生基材層が設けられることを特徴とし、前記柱状の樹脂繊条立体空隙構造体は、斜面の地山にその一部が埋め込まれ、固定金具で固定されて配設されることを特徴とする。【選択図】　　　　　図１
2004003166.tif 000002
【特許請求の範囲】
【請求項１】
斜面の地山に柱状の樹脂繊条立体空隙構造体が配設され、この柱状の樹脂繊条立体空隙構造体が配設された斜面をラス金網で被い、その上に植生基材層が設けられることを特徴とする斜面安定化工法。
【請求項２】
前記柱状の樹脂繊条立体空隙構造体は、斜面の地山にその一部が埋め込まれ、固定金具で固定されて配設されることを特徴とする請求項１記載の斜面安定化工法。
【請求項３】
前記ラス金網は、アンカーピンで固定されて配設されることを特徴とする請求項１記載の斜面安定化工法。
【発明の詳細な説明】
【０００１】
【発明の属する技術分野】
この発明は、法面などの斜面の安定化（縁化）工法に関し、特に、地山が脆弱化し、部分的に小崩壊が起こる可能性がある斜面、降雨時や雪解け時に植生基材が流出するような斜面、等に適用して最適な斜面安定化工法に関する。
【０００２】
【従来の技術】
斜面（法面）をそのままにしておくと、表土などが雨水、雪解け水、湧水などの流下水によって流され、あるいは崩壊するおそれがあるので、斜面を安定化させる工法が必要になる。
従来、この斜面安定化工法として斜面にモルタルやセメントミルク等の固化材（安定剤）を塗り付けたり、あるいは吹き付ける工法がある。また、法枠やブロック積み擁壁工、コンクリート構造物等による斜面安定化工法もある。これらは植物の定着性や水分の補給等に問題があるため自然保護の点で問題があるし、景観を害する問題もある。そこで、最近は、斜面（法面）を植物で緑化させる工法が採用されている。
【０００３】
【発明が解決しようとする課題】
しかしながら、斜面（法面）を植物により緑化させるためには、該斜面に植物が成育するために必要な肥料を充分含んだ植生基材（客土）を使用する必要があるが、該植生基材（客土）は雨水、融雪水および湧水などによって流出しやすい。特に、斜面の傾斜角度が大きい急斜面であると、より一層植生基材の流出が発生しやすくなり、斜面の緑化が困難となる。
また、地山が脆弱化し、部分的に小崩壊が起こる可能性がある斜面や風化しやすい斜面においては、植生基材（客土）が地山の崩壊により流出され、やはり緑化が困難となる。
この発明は、このような点に鑑み植生基材（客土）の流出を防止でき、かつ水捌けに優れた、植物により緑化が図れる斜面安定化工法の提供を第１の目的とする。
【０００４】
また、従来の植生基材（客土）の流出を確実に防止し、かつ水捌けを良くする工法においては、他の構造物を使用したり植生基材（客土）を袋詰めしたりして使用し、構造物の費用が大きく、その施工作業も大変で経費がかさみ、また、袋詰めするとその分費用と手数がかかるため、多大な経費や労力、手数がかかる課題がある。
この発明は、このような点に鑑み植物により緑化の図れる斜面安定化工法を安価に提供することを第２の目的とする。
【０００５】
【課題を解決するための手段】
前記目的を達成するためこの発明の斜面安定化工法は、斜面の地山に柱状の樹脂繊条立体空隙構造体が配設され、この柱状の樹脂繊条立体空隙構造体が配設された斜面をラス金網で被い、その上に植生基材層が設けられることを特徴とする。
これにより、地山より突出する柱状の樹脂繊条立体空隙構造体およびラス金網により植生基材層の流出が防止されるし、樹脂繊条立体空隙構造体は、透水性に富むので水捌けも良好であり、植生基材層も安定し、かつ樹脂繊条立体空隙構造体の内部にも土砂や植生基材が侵入できるので植物の定着性がよく植物による緑化を安価に安定して図ることができる。
【０００６】
また、この発明の斜面安定化工法は、前記柱状の樹脂繊条立体空隙構造体が、斜面の地山にその一部が埋め込まれ、固定金具で固定されて配設されることを特徴とする。
さらに、この発明の斜面安定化工法は、前記ラス金網が、アンカーピンで固定されて配設されることを特徴とする。
これにより、樹脂繊条立体空隙構造体およびラス金網の地山への固定が図られ、安定化する。
【０００７】
【発明の実施の形態】
以下、この発明の実施の形態を図面と共に詳細に説明する。図１はこの発明の実施の形態に係る斜面安定化工法を示す説明斜視図、図２はこの発明の実施の形態に係る斜面安定化工法を示す説明断面図である。
この図に示す斜面安定化工法は、斜面１の地山に柱状の樹脂繊条立体空隙構造体２が配設され、この柱状の樹脂繊条立体空隙構造体２が配設された斜面１を、ラス金網３で被い、その上に植生基材層４が設けられる。
【０００８】
前記柱状の樹脂繊条立体空隙構造体２は、合成樹脂を加熱溶融してノズルから紐状または繊条（以下、単に繊条という）に押し出し、この１本又は複数本の樹脂繊条をカールさせた状態で麺状に順次積層して、繊条同士の接触点を溶着させ、図３に示すような中空円柱状に成形したものである。本例では中空円柱状であるが、これは中空でなくてもよいし、断面円形でなくてもよい。例えば角形の柱状であってもよい。また、繊条同士の接触点は必ずしも溶着しなくてもよい。従って、この樹脂繊条立体空隙構造体２は、樹脂繊条をカールさせた状態で麺状に積層したものであるので、多数の連通する空隙が存在する。そのため透水性に優れるし、植生基材や土砂および植物の根も侵入することが可能である。
【０００９】
なお、柱状の樹脂繊条立体空隙構造体２は、ある程度長尺であるが、あまり長すぎると製造が難しくなり生産性も低下するので適宜の長さとし、斜面の状態で使用に際し、長いものが必要な場合には連結（継ぎ足し）して使用する。この連結は両者を結合してもよいし、当接するだけでもよい。結合する場合は、熱融着、嵌め込み及び連結部材などの手段を採用し得る。当接するだけでも後述するように樹脂繊条立体空隙構造体２は、固定金具５で斜面の地山に固定するので互いに離間することもない。
【００１０】
前記柱状の樹脂繊条立体空隙構造体２は、法面整形した斜面１の地山に溝１ａを掘り、この溝１ａに一部、例えば略半分を埋め込んで配設する。この配設された樹脂繊条立体空隙構造体２は、固定金具５で地山に固定される。このように樹脂繊条立体空隙構造体２は、固定金具５で固定されるので必ずしも地山の溝１ａに埋め込まなくてもよいが、斜面の地山に溝１ａを掘り、この溝１ａに一部を埋め込む方が、植生基材４等の支持力が向上するのでより一層安定化し好ましいものである。
この樹脂繊条立体空隙構造体２の配列構造は、横方向、斜め方向、縦方向およびこれらの組み合わせ、など自由であり特に制限はないが、斜面で植生基材４等の流出を防止するためには、少なくとも斜面に対し所定間隔で横方向（傾斜方向に交差する方向）に配設されていることが必要である。この実施の形態では横方向と縦方向に配設した場合を示している。
【００１１】
前記固定金具５は、図４および図５に示すような帯板を半円状とした本体５ａの両端に、アンカーピン７の挿通部６が固設されたものであり、本体５ａは樹脂繊条立体空隙構造体２の外径に対応する半円状となっている。アンカーピン７の挿通部６は、本例では筒体で形成されている。
前記のように斜面１の地山に配設された樹脂繊条立体空隙構造体２は、固定金具５の本体５ａが上面より嵌合され、挿通部６にアンカーピン７が挿通されて斜面１の地山に打ち込まれて固定される（図５、図８参照）。この時、本体５ａの半円状は、樹脂繊条立体空隙構造体２の外径と対応するので、樹脂繊条立体空隙構造体２にぴったりと合致して嵌合する。
【００１２】
図６および図７は固定金具５の変形例を示している。本例の固定金具５は、本体５ａの両端にアンカーピン７の挿通部６として孔を穿設したものであって、アンカーピン７は固定金具５の孔に挿通される。後は前記実施の形態と同様であり、同一構成要素には同一符号を付して詳細な説明は省略する。
【００１３】
次に、樹脂繊条立体空隙構造体２が固定金具５で固定されて配設された斜面１全体に、図９に拡大して示すようにラス金網３が張設される。このラス金網３にはアンカーピン８が斜面１の地山に打ち込まれて固定されている。このラス金網３は、植生基材４の流出の防止に役立つ。
【００１４】
そして、このようにラス金網３が張設された斜面１全体には図１０に示すように客土として植生基材が吹き付けられ植生基材層４が形成される。この植生基材層４は、斜面１の地山により突出する樹脂繊条立体空隙構造体２の塞ぎ止めおよびラス金網３との付着力により流出が防止される。しかも樹脂繊条立体空隙構造体２は、多数の連続する空隙が存在するため透水性が良く、水捌けも良好となり植生基材の流出は、より一層防止される。前記植生基材層４の植生基材は、袋詰めでもよいが、経済性や施工性を考慮すると吹き付けが好ましい。この吹き付けは、コンプレッサー等を使用する吹付機などの従来公知の手段を採用し得る。
【００１５】
前記植生基材層４の植生基材としては、特に制限はなく、肥料や保水剤を基本とする従来公知のものでよい。例えば、次のようなものを例示できる。
（１）有機質基材に対しゼオライトを配合したもの。
（２）有機客土にバーク堆肥およびパーライトを配合したもの。
（３）有機質の下水汚泥又は生活廃棄物若しくは産業廃棄物を発酵機械に投入し、これに多孔質の水分調整材と発酵菌とを加える。その後、前記発酵機械によって発酵させた粒状化又は粉末化した堆肥と、有機質の下水汚泥又は生活廃棄物若しくは産業廃棄物を焼却処理して粒状化又は粉末化した焼却灰を配合したもの。
（４）有機体窒素を含む有機物質と、クリンカ−アッシュと、土壌材と、微生物とを配合したもの。
なお、植生基材には植物の種子を混入させてもよいことはもちろんである。
【００１６】
以上の工法を図を追って説明すると次のようになる。まず、図１に示すように斜面１の地山に柱状の樹脂繊条立体空隙構造体２を、固定金具５で固定して配設する。この時、樹脂繊条立体空隙構造体２は、図５および図７に示すように斜面１の地山に溝１ａを掘って、この溝１ａにその一部、例えば半分を埋め込むのが好ましい。この樹脂繊条立体空隙構造体２が配設された状態が、図８に拡大して示されている。
【００１７】
次に、地山１及び図９に示すように樹脂繊条立体空隙構造体２が配設された上に、ラス金網３を張設し、最後に図１０に示すように前記張設したラス金網３の上から斜面１全体に植生基材層４を設ける。すると、日時の経過により図１１に示すように斜面１は植物により覆われることになる。
【００１８】
なお、前記実施の形態はこの発明を制限するものではなく、この発明の趣旨を逸脱しない範囲内において種々の変形が可能である。例えば、樹脂繊条立体空隙構造体２の固定は、前記のような固定金具５に制限されるものではなく、アンカーピンやアンカーボルトで直接固定してもよい。
【００１９】
【発明の効果】
以上詳細に説明した通り、この発明の斜面安定化工法によれば次のような効果を奏する。
（１）植生基材層は、斜面の地山より突出する樹脂繊条立体空隙構造体の塞ぎ止め、およびラス金網との付着力により流出が防止され、しかも樹脂繊条立体空隙構造体は、多数の連続する空隙が存在するので透水性が良く、水捌けも良好であるので、植生基材の流出はより一層防止される。即ち、表層崩壊を防ぎ、斜面の雨水、融雪水および地下水などの排水をよくするので、斜面が長期にわたって安定化する。
【００２０】
（２）樹脂繊条立体空隙構造体は、樹脂繊条をカールさせた状態で麺状に積層して柱状としたものであるので、軽量であり作業性に富み、斜面（法面）への施工が簡単である。また、ある程度可撓性もあるので、斜面（法面）の状況に応じた施工が可能となる。さらに、軽量で斜面（法面）に負担を与えないので、基礎工を必要としない。
【００２１】
（３）コンクリート構造体を使用しないので景観に優れている。また、樹脂繊条立体空隙構造体は、合成樹脂なので腐食せず耐久性に優れている。しかも樹脂繊条立体空隙構造体は、多数の連通する空隙が存在するので、植物の根の侵入が可能となり、腐食しなくても植物の生育には何ら支障を生じない。
【図面の簡単な説明】
【図１】この発明の実施の形態に係る斜面安定化工法を示す説明斜視図である。
【図２】この発明の実施の形態に係る斜面安定化工法を示す説明断面図である。
【図３】樹脂繊条立体空隙構造体の斜視図である。
【図４】固定金具の斜視図である。
【図５】固定金具での固定状態を示す断面図である。
【図６】他の固定金具の斜視図である。
【図７】他の固定金具での固定状態を示す断面図である。
【図８】樹脂繊条立体空隙構造体の配設状態を示す要部斜視図である。
【図９】図８の次の工程を示す要部斜視図である。
【図１０】図９の次の工程を示す断面図である。
【図１１】この発明の施工後、日数が経過した時の状態を示す説明断面図である。
【符号の説明】
１　斜面（法面）
２　樹脂繊条立体空隙構造体
３　ラス金網
４　植生基材層
５　固定金具
７、８　アンカーピン
【図１】
2004003166.tif 000003
【図２】
2004003166.tif 000004
【図３】
2004003166.tif 000005
【図４】
2004003166.tif 000006
【図５】
2004003166.tif 000007
【図６】
2004003166.tif 000008
【図７】
2004003166.tif 000009
【図８】
2004003166.tif 000010
【図９】
2004003166.tif 000011
【図１０】
2004003166.tif 000012
【図１１】
2004003166.tif 000013